(57)【要約】【課題】薄板化された液晶表示パネルの割れ強度を補ない、押圧力が掛かることによる液晶表示パネルの破損を防止することのできる構成を備えた液晶表示パネルを提供すること【解決手段】相互に対向させて配設された２枚の透明基板２、３と、前記各透明基板２、３の内面において表示領域を囲むように矩形状に配置され、一辺に液晶注入口６が形成されたシール材４と、前記液晶注入口６から前記各透明基板２、３および前記シール材４に囲まれた空洞部７内に注入され、前記液晶注入口６を塞ぐように前記液晶注入口６内および前記シール材４に沿って配設された封止材５により前記空洞部７内に封入された液晶とを備える液晶表示パネル１において、シール材４に沿う部位の前記封止材５はその両端部をそれぞれ前記透明基板２、３の幅方向端部に位置させるようにして配設する。【選択図】図１
2008058715.tif 000002
【特許請求の範囲】
【請求項１】
相互に対向させて配設された２枚の透明基板と、
前記各透明基板の内面において表示領域を囲むように矩形状に配置され、一辺に液晶注入口が形成されたシール材と、
前記液晶注入口から前記各透明基板および前記シール材に囲まれた空洞部内に注入され、前記液晶注入口内および前記シール材に沿って配設された封止材により前記空洞部内に封入された液晶と、
を備える液晶表示パネルにおいて、
シール材に沿う部位の前記封止材は、その両端部をそれぞれ前記透明基板の幅方向端部に位置させるようにして配設されていることを特徴とする液晶表示パネル。
【請求項２】
前記液晶注入口は、前記シール材の一辺における一端部分に形成された請求項１に記載の液晶表示パネル。
【発明の詳細な説明】
【技術分野】
【０００１】
本発明は液晶表示パネルに係り、特に、薄板化が図られた液晶表示パネルに関する。
【背景技術】
【０００２】
従来より、一対の基板の対向する面に設けられた複数の電極に選択的に電圧を印加することにより、両基板の間隙に封入された液晶を駆動させて文字等の画像の表示を行う液晶表示パネルが、コンピュータや携帯電話等の表示手段として多用されている。
【０００３】
この液晶表示パネルは、対向して配置される長方形状の一対の透明基板を有し、両透明基板の相互に対向する内面のうち液晶表示パネルとして表示を行う表示領域には、表示電極が形成されている。両透明基板の内面には、表示電極を被覆するように所定の方向にラビング処理された配向膜が形成されている。両透明基板は、両透明基板の内面における外周縁に配置されたシール材によって一体とされている。液晶表示パネルの幅方向に延在するシール材の一部には、液晶を空洞部に注入するための液晶注入口がシール材を切欠いて形成されている。そして、前記液晶注入口から両透明基板およびシール材に囲まれた空洞部に注入された液晶は、前記液晶注入口を塞ぐようにして前記シール材より外方となる２枚の透明基板間における前記液晶注入口内および前記シール材に沿って配設された紫外線（ＵＶ）硬化性樹脂などの封止材によって前記空洞部内に封止されている（例えば、特許文献１）。
【０００４】
【特許文献１】特開２００１−１２５１１９号公報
【発明の開示】
【発明が解決しようとする課題】
【０００５】
近年、液晶表示パネルはその薄板化のニーズがより一層高まっており、例えば、前記透明基板としてガラス基板を用いる場合には、ガラス基板の外表面をフッ化水素酸を用いて腐食させ、エッチングする等の処理により薄板化が図られている。
【０００６】
ところが、薄板化した液晶表示パネルは割れ強度の低下という問題点を有するものであった。
【０００７】
図３は、液晶表示パネル１における一対の透明基板２、３、シール材４、および封止材５の位置関係を模式的に示す模式的平面図であり、図４は、この液晶表示パネル１の表面に垂直な圧力を加えた場合において、割れの発生の起点となり易い、後述する応力集中点を示すための模式的正面図である。
【０００８】
この図４に示すように、例えば液晶表示パネル１の点灯検査中や搬送途中などに、液晶表示パネル１の表面に対し垂直方向からの押圧力が加わると、押圧による応力が前記封止材５の配設された部分と配設されていない部分との境界部に集中してしまい（以下、前記応力が特に集中する点を「応力集中点」という）、この応力集中点が亀裂（割れ）の起点となって液晶表示パネル１を破損させていた。
【０００９】
より具体的には、例えば図３の模式的平面図および図４の模式的正面図に示すように、前記液晶注入口６が液晶表示パネル１の幅方向中央部よりもいずれか一方の端部側へ寄った位置に形成された液晶表示パネル１においては、撓み変形量が大きい、液晶表示パネル１の幅方向中央部側における前記境界部が応力集中点となり、この応力集中点において液晶表示パネル１に亀裂を発生させ、液晶表示パネル１を破損させることが多かった。
【００１０】
これらの点に鑑みて、本願発明は、薄板化された液晶表示パネルの割れ強度を補ない、押圧力が掛かることによる液晶表示パネルの破損を防止することのできる構成を備えた液晶表示パネルを提供することを目的とする。
【課題を解決するための手段】
【００１１】
前述した目的を達成するため、本発明に係る液晶表示パネルの特徴は、相互に対向させて配設された２枚の透明基板と、前記各透明基板の内面において表示領域を囲むように矩形状に配置され、一辺に液晶注入口が形成されたシール材と、前記液晶注入口から前記各透明基板および前記シール材に囲まれた空洞部内に注入され、前記液晶注入口内および前記シール材に沿って配設された封止材により前記空洞部内に封入された液晶とを備える液晶表示パネルにおいて、シール材に沿う部位の前記封止材は、その両端部をそれぞれ前記透明基板の幅方向端部に位置させるようにして配設されている点にある。
【００１２】
本発明の液晶表示パネルによれば、液晶注入部が形成された一辺に直交する２本のシール材の近傍であり、液晶表示パネルの押圧時における撓み変形量の少ない幅方向端部に、液晶表示パネルの押圧による応力が集中する前記封止材の配設された部分と配設されていない部分との境界部を位置させることで、液晶表示パネルの割れ強度を補うことができ、液晶表示パネルの破損の問題を改善することが可能となる。
【００１３】
また、前記液晶注入口を前記シール材の一辺における一端部分に形成すること、すなわち、シール材に形成される切欠きを、前記一辺に直交する２本のシール材の近傍であり、液晶表示パネルの押圧時における撓み変形量の少ない幅方向端部へ位置させて形成することにより、シール材が切欠かれたことで低下する割れ強度をも補なうことが可能となる。
【発明の効果】
【００１４】
本発明の液晶表示パネルによれば、薄板化された液晶表示パネルの割れ強度を補ない、押圧力が掛かることによる液晶表示パネルの破損を防止することができる等の優れた効果を奏する。
【発明を実施するための最良の形態】
【００１５】
本発明の液晶表示パネル１について、図１および図２を用いて説明する。
【００１６】
図１は、本実施形態の液晶表示パネル１における透明基板２、３、シール材４、および封止材５の位置関係を模式的に示す模式的平面図であり、図２は、その模式的正面図である。なお、以下では、本実施形態の液晶表示パネル１について、前述の従来の液晶表示パネル１の構成との相違点のみを説明する。なお、前記従来の液晶表示パネル１の説明で用いた部材については同一の符号を付す。
【００１７】
本実施形態の液晶表示パネル１は、前記透明基板２、３としてガラス基板が用いられており、前記ガラス基板の外表面はフッ化水素酸により腐食され、エッチングされて、薄板化が図られている。
【００１８】
前記液晶表示パネル１の前記液晶注入口６は、図１に示すように、一辺に配設され、液晶表示パネル１の幅方向に延在するシール材４の一端部分に形成されている。このように、前記液晶注入口６を前記シール材４の一辺における一端部分に形成すること、すなわち、シール材４に形成される切欠きを、前記一辺に直交する２本のシール材４の近傍であり、液晶表示パネル１の押圧時における撓み変形量の少ない幅方向端部へ位置させて形成することにより、シール材４が切欠かれたことで低下する割れ強度が補なわれている。
【００１９】
そして、本実施形態に前記液晶注入口６は、図１および図２に示すように、前記シール材４の前記液晶注入口６が形成された一辺の略全長に亘って前記シール材４に沿って配設された紫外線硬化性樹脂からなる封止材５により塞がれ、前記液晶注入口６から両透明基板２、３およびシール材４に囲まれた空洞部７に注入された液晶（液晶）が封入されている。
【００２０】
すなわち、前記封止材５は、前記液晶注入口６内および前記シール材４の前記液晶注入口６が形成された一辺の全長に亘って塗布された紫外線硬化性樹脂に紫外線照射し、前記紫外線硬化性樹脂を硬化させることにより、その両端部をそれぞれ前記透明基板２、３の幅方向端部となる、前記シール材４の前記液晶注入口６が形成された一辺に直交する２本のシール材の近傍に位置させるようにして配設されている。
【００２１】
このような構成とされた本実施形態の液晶表示パネル１は、押圧による応力が特に集中する応力集中点を、液晶注入口６が形成された一辺に直交する２本のシール材４の近傍であり、液晶表示パネル１の押圧時における撓み変形量の少ない幅方向端部に位置させることで、前記応力集中点を起点とする亀裂を発生させにくくすることができ、液晶表示パネル１の割れ強度を補うことができる。
【００２２】
また、前記シール材４の前記液晶注入口６が形成された一辺の全長に亘って配設された封止材５は、液晶表示パネル１の押圧による撓み変形に対する補強部材として作用する。
【００２３】
よって、本発明の液晶表示パネル１によれば、薄板化された液晶表示パネル１に何らかの押圧力が作用した場合にも、液晶表示パネル１の破損を防止することができる。
【００２４】
本発明は、前述した実施の形態に限定されるものではなく、必要に応じて種々の変更が可能である。
【図面の簡単な説明】
【００２５】
【図１】本発明の実施形態の液晶表示パネルにおける一対の透明基板、シール材および封止材の位置関係を示す模式的平面図
【図２】図１の液晶表示パネルの表面に垂直な圧を加えた場合の応力集中点を示す模式的正面図
【図３】従来の一般的な液晶表示パネルにおける一対の透明基板、シール材および封止材の位置関係を示す模式的平面図
【図４】図３の液晶表示パネルの表面に垂直な圧を加えた場合の応力集中点を示す模式的正面図
【図５】従来の具体的な液晶表示パネルにおける一対の透明基板、シール材および封止材の位置関係を示す模式的平面図
【図６】図５の液晶表示パネルの表面に垂直な圧を加えた場合の応力集中点を示す模式的正面図
【符号の説明】
【００２６】
１  液晶表示パネル
２  透明基板
３  透明基板
４  シール材
５  封止材
６  液晶注入口
７  空洞部
【図１】
2008058715.tif 000003
【図２】
2008058715.tif 000004
【図３】
2008058715.tif 000005
【図４】
2008058715.tif 000006
【図５】
2008058715.tif 000007
【図６】
2008058715.tif 000008